(57)【要約】      （修正有）【課題】汚れが付きにくいと共に、汚れても簡単に汚れを落とすことができ、しかも、外部からの衝撃に対して欠けの発生を防ぐことができる消火器ボックス用のコンクリート脚を提供する。【解決手段】コンクリートを合成樹脂製の外装ケース内に充填して凝固させて脚本体２を成形することで、脚本体２の外面が外装ケースで覆われたコンクリート脚１を形成し、前記外装ケースと脚本体２を結合部材４で固定化し、前記コンクリート脚１の上面で複数箇所の位置に消火器ボックスＡを固定するための取付け孔５が設けてある。【選択図】図１
0003143652.tif 000002
【実用新案登録請求の範囲】
【請求項１】
コンクリートを用いて形成した脚本体の外面を合成樹脂製の外装ケースで覆い、前記外装ケースと脚本体を外装ケース内に設けた結合部材で固定化し、前記外装ケースの上面で複数箇所の位置に消火器ボックスを固定するための取付け孔を設けた消火器ボックス用コンクリート脚。
【請求項２】
上記外装ケースは、上面が平坦で下面が開放した容器に形成され、この外装ケースの内部に設けた脚本体は、コンクリートを外装ケース内に注入して凝固させることにより形成されている請求項１に記載の消火器ボックス用コンクリート脚。
【請求項３】
上記結合部材は、外装ケースの内部において、この外装ケースの上壁に上端を固定した軸体の下端に大径の頭部を設けて形成され、外装ケースの内部に位置する脚本体に埋設されている請求項１又は２に記載の消火器ボックス用コンクリート脚。
【請求項４】
上記外装ケースの上面に設けた取付け孔は、外装ケースの上壁にねじ挿通孔を設け、この上壁の内面側でねじ挿通孔の位置にナット部材を連通状に配置し、ナット部材を外装ケースの内部に位置するウエイト部材に埋設することにより形成されている請求項１乃至３の何れかに記載の消火器ボックス用コンクリート脚。
【考案の詳細な説明】
【技術分野】
【０００１】
この考案は、消火器を収めておく消火器ボックスにおいて、この消火器ボックスを起立状態で安定よく配置することができるようにした消火器ボックス用コンクリート脚に関する。
【背景技術】
【０００２】
消火器は火災発生時の初期消火に有用であり、その配置形態の一つとして、消火器ボックス内に収納した状態で床面や通路等に設置することが一般的に行なわれている。
【０００３】
消火器ボックスは、金属板を用い、内部に消火器が納まる大きさの箱形に形成され、扉を開いて消火器の出し入れができる構造になっているが、この消火器ボックスを床面や通路に直接置いて起立させた状態で配置した場合、安定性が悪く倒れやすいという問題があるため、従来は、消火器ボックスの下部をコンクリート脚に固定し、コンクリート脚のウエイト効果によって起立状態の安定化を図ることが行なわれている。
【考案の開示】
【考案が解決しようとする課題】
【０００４】
ところで、従来のコンクリートの脚は、コンクリートがむき出しの状態になっているので、どうしても外面に汚れが付き易く、しかも、汚れが付くと簡単に落とすことができないので、見た目の体裁が悪くなるという問題がある。
【０００５】
また、コンクリートがむき出しの状態では、角部にものが当たると欠けが生じやすいという問題もある。
【０００６】
そこで、この考案の課題は、コンクリートで形成した脚本体の外面を合成樹脂で被覆することにより、汚れが付きにくいと共に、汚れても簡単に汚れを落とすことができ、しかも、外部からの衝撃に対して欠けの発生を防ぐことができる消火器ボックス用のコンクリート脚を提供することにある。
【課題を解決するための手段】
【０００７】
上記の課題を解決するため、この考案は、コンクリートを用いて形成した脚本体の外面を合成樹脂製の外装ケースで覆い、前記外装ケースと脚本体を外装ケース内に設けた結合部材で固定化し、前記外装ケースの上面で複数箇所の位置に消火器ボックスを固定するための取付け孔を設けた構成を採用したものである。
【０００８】
上記外装ケースは、上面が平坦で下面が開放した容器に形成され、この外装ケースの内部に設けた脚本体は、コンクリートを外装ケース内に注入して凝固させることにより形成されている構造とすることができる。
【０００９】
また、上記結合部材は、外装ケースの内部において、この外装ケースの上壁に上端を固定した軸体の下端に大径の頭部を設けて形成され、外装ケースの内部に位置する脚本体に埋設されている構造としてもよい。
【００１０】
更に、上記外装ケースの上面に設けた取付け孔は、外装ケースの上壁にねじ挿通孔を設け、この上壁の内面側でねじ挿通孔の位置にナット部材を連通状に配置し、ナット部材を外装ケースの内部に位置するウエイト部材に埋設することにより形成されている構造とすることができる。
【００１１】
ここで、上記コンクリート脚の平面的な大きさは、例えば、一本の消火器を収納する消火器ボックスの平面形状に合う程度に形成され、一本用消火器ボックスの場合は、一つのコンクリート脚を用い、このコンクリート脚の上に消火器ボックスを載せてビスやボルト止によって固定し、また、複数本用消火器ボックスの場合は、二つ以上のコンクリート脚を用い、消火器ボックスの両側端部等をコンクリート脚に載せて固定すればよく、何れの場合も、脚本体を構成するコンクリートの重量によって、消火器ボックスの起立状となる配置状態を安定化させることができる。
【考案の効果】
【００１２】
この考案によると、コンクリートを用いた脚本体の外面を合成樹脂製の外装ケースで覆ったので、コンクリート脚は外表面が合成樹脂の外装ケースで覆われ、汚れが付きにくいと同時に汚れても簡単に拭き取ることができ、コスト的に安価で見た目の清潔な感じを維持できると共に、外装ケースで内部のコンクリート製脚本体を保護することで、外部からの衝撃が加わった場合でも脚本体に欠けが発生するのを防ぐことができる。
【００１３】
また、外装ケースと脚本体を結合部材で固定化することにより、外装ケースと脚本体が一体化して離脱するようなことがなく、消火器ボックスとの結合時や設置時におけるコンクリート脚の取り扱いが容易となる。
【００１４】
更に、外装ケース内にコンクリートを注入して凝固させることにより脚本体を形成するので、外装ケースがそのまま成形型となり、コンクリート脚を低価格で製作できると共に、外装ケースの上面で複数箇所の位置に消火器ボックスを固定するための取付け孔を設けたので、消火器ボックスの取付けがビスやボルトのねじ込みによって簡単に行なえることになる。
【考案を実施するための最良の形態】
【００１５】
以下、この考案の実施の形態を図示例に基づいて説明する。
【００１６】
図１と図２のように、消火器ボックスＡを床面や通路等に起立状態で設置するため、この消火器ボックスＡの下部を固定するコンクリート脚１は、コンクリートを用いた脚本体２の外面を合成樹脂製の外装ケース３で覆って形成され、前記外装ケース３と脚本体２は、外装ケース３内に設けた結合部材４で固定化し、前記外装ケース３の上面で四隅の複数位置に消火器ボックスＡを固定するための取付け孔５を設けた構造になっている。
【００１７】
上記外装ケース３は、材料に合成樹脂を用い、上面が平坦で下面が開放した角形の容器に成形され、この外装ケース３の内部に設けた脚本体２は、図３のように、外装ケース３を上下逆に配置してその内部にコンクリートやモルタルａを上縁まで注入し、外装ケース３を成形型にして前記コンクリートやモルタルを凝固させることにより形成され、これによって、コンクリートを用いた脚本体２の外面を合成樹脂製の外装ケース３で覆ったコンクリート脚１が完成し、このコンクリート脚１は、図２のように、脚本体２の露出面が下になる配置で使用される。
【００１８】
上記結合部材４は、外装ケース３の高さ寸法よりも短い長さを有し、外装ケース３の内部に配置した軸体４ａの上端を、この外装ケース３の上壁で中央位置に、ナット４ｂと雄ねじ４ｃを用いた締め付け構造によって固定し、この軸体４ａの下端に大径の頭部４ｄを設けて形成され、前記外装ケース３の内部にコンクリートやモルタルを注入して形成した脚本体２に埋設することにより、外装ケース３と脚本体２を固定一体化し、外装ケース３内から脚本体２が脱落することのないようにしている。
【００１９】
上記外装ケース３の上面で四隅の位置に設けた取付け孔５は、外装ケース３の上壁にねじ挿通孔５ａを設け、この上壁の内面側でねじ挿通孔５ａの位置に雌ねじを有するナット部材５ｂを連通状に配置し、ナット部材５ｂを前記外装ケース３の内部にコンクリートやモルタルを流し込んで形成した脚本体２に埋設することにより形成されている。
【００２０】
上記コンクリート脚１の平面的な大きさは、例えば、図１（ｂ）のように、一本の消火器を収納する消火器ボックスＡの平面形状に見合う程度に形成され、一本用消火器ボックスＡの場合は、一つのコンクリート脚１を用い、図２に示すように、このコンクリート脚１の上に消火器ボックスＡを載せてビス６やボルト止によって固定し、また、複数本収納用消火器ボックスの場合は、二つ以上のコンクリート脚１を用い、消火器ボックスの両側端部をそれぞれコンクリート脚１に載せてビス止で固定すればよく、何れの場合も、コンクリート脚１を構成する脚本体２の重量によって、消火器ボックスＡの起立状態を維持し、配置状態を安定化させることができる。
【００２１】
この考案のコンクリート脚１は、上記のような構成であり、内部に結合部材４とナット部材５ｂを取付けた外装ケース３を上下逆にしてその内部にコンクリートやモルタルを上縁まで注入し、前記外装ケース３を成形型にしてコンクリートやモルタルを凝固させることにより、角型ブロック状の脚本体２を成形すれば、コンクリート製脚本体２の外面を合成樹脂の外装ケース３で覆ったコンクリート脚１を得ることができる。
【００２２】
このようにして完成したコンクリート脚１を脚本体２の露出面が下になる配置で、消火器ボックスＡを配置せんとする部分の床面や通路に設置し、前記コンクリート脚１の上面に消火器ボックスＡを載置し、コンクリート脚１の各取付け孔５に対して消火器ボックスＡの底面に設けたビス挿通孔からビス６やボルト、タッピングねじをねじ込むことで、図１（ｂ）や図２のように、コンクリート脚１の上に消火器ボックスＡを固定する。
【００２３】
上記したコンクリート脚１は脚本体２によって十分な重量を有するので、消火器ボックスＡを安定よく起立状態に配置させることができると共に、脚本体２の外面を覆う外装ケース３は合成樹脂製であるので、汚れが付きにくいと同時に汚れても簡単に拭き取ることができ、見た目の清潔な感じを維持できる。
【００２４】
また、合成樹脂の外装ケース３は、所望する着色を施すことができ、色彩的な美観の向上につながると共に、コンクリート製の脚本体２を合成樹脂の外装ケース３で保護することで、脚本体２の角部分に外部からの衝撃が加わった場合でも、脚本体２に欠けが発生するのを有効に防ぐことができる。
【００２５】
更に、外装ケース３と脚本体２は、結合部材４で固定化されているので、外装ケース３と脚本体２が一体化して離脱するようなことがなく、輸送時や設置時におけるコンクリート脚１の取り扱い及び消火器ボックスＡとの結合作業が容易となる。
【図面の簡単な説明】
【００２６】
【図１】（ａ）はこの考案に係るコンクリート脚の斜視図、（ｂ）はコンクリート脚に消火器ボックスを取付けた状態を示す正面図
【図２】コンクリート脚の構造とこれに取付けた消火器ボックスの結合部分を拡大して示す縦断正面図
【図３】この考案に係るコンクリート脚を製作するため、上下を逆にした外装ケース内にコンクリートやモルタルを流し込んで脚本体を成形する状態を拡大して示す縦断正面図
【符号の説明】
【００２７】
１        コンクリート脚
２        脚本体
３        外装ケース
４        結合部材
５        取付け孔
６        ビス
Ａ        消火器ボックス
【図１】
0003143652.tif 000003
【図２】
0003143652.tif 000004
【図３】
0003143652.tif 000005